(57)【要約】      （修正有）【課題】位置ずれし難いパッド及び品物を確実に保護できる包装資材セットを提供する。【解決手段】パッド２は、一枚の段ボールシートから形成され、段ボール箱の一対の底内フラップ１７，１９間に形成される平面視略方形の凹部を埋めるために使用され、底内フラップ間の凹部に嵌まり込む略方形の嵌合部３１と、この嵌合部に折り曲げ線３２を介して連設され、上記嵌合部の凹部からの位置ずれを防止する固定部３３とを備え、上記固定部が、上記折り曲げ線に沿う方向の両側に嵌合部よりも突出することを特徴とする。一対の上記固定部が、嵌合部の互いに対向する一対の側縁から延出するとよい。包装資材セットは当該パッド２と、組立状態で底内フラップ間に上記パッドの嵌合部が挿入される平面視略方形の凹部を有する段ボール箱を形成する箱用シート１とを備える。【選択図】図１
0003202098.tif 000002
【実用新案登録請求の範囲】
【請求項１】
一枚の段ボールシートから形成され、段ボール箱の一対の底内フラップ間に形成される平面視略方形の凹部を埋めるために使用されるパッドであって、
上記底内フラップ間の凹部に嵌まり込む略方形の嵌合部と、この嵌合部に折り曲げ線を介して連設され、上記嵌合部の凹部からの位置ずれを防止する固定部とを備え、
上記固定部が、上記折り曲げ線に沿う方向の両側に嵌合部よりも突出することを特徴とするパッド。
【請求項２】
一対の上記固定部が、嵌合部の互いに対向する一対の側縁から延出する請求項１に記載のパッド。
【請求項３】
上記固定部の嵌合部と反対側の端縁両端部が面取りされている請求項１又は請求項２に記載のパッド。
【請求項４】
上記固定部の折り曲げ線に垂直な方向の幅が嵌合部と略等しい請求項１、請求項２又は請求項３に記載のパット。
【請求項５】
請求項１から請求項４のいずれか１項に記載のパッドと、組立状態で底内フラップ間に上記パッドの嵌合部が挿入される平面視略方形の凹部を有する段ボール箱を形成する箱用シートとを備える包装資材セット。
【考案の詳細な説明】
【技術分野】
【０００１】
本考案は、パッド及び包装資材セットに関する。
【背景技術】
【０００２】
最も一般的に使用されている段ボール箱は、ミカン箱タイプとも呼ばれるＡ式段ボール箱（ＪＩＳ−Ｚ１５０７、コード番号０２０１）である。Ａ式段ボール箱は、側壁となる四角筒状部を構成する一対の長さ面パネル及び一対の幅面パネルと、一対の長さ面パネルの上下の端縁からそれぞれ延出する一対の底外フラップ及び一対の蓋底フラップと、一対の幅面パネルの上下の端縁からそれぞれ延出する一対の底内フラップ及び一対の蓋内フラップとを備える。このようなＡ式段ボール箱は、内フラップを内側に折り曲げ、内フラップの上側に外フラップを折り重ねるようにして四角筒状部の上下の開口を封止する。
【０００３】
一般的なＡ式段ボール箱は、製造を容易にするために内フラップの延出長さが外フラップの延出長さと等しくなり、かつ段ボールシートの使用量を低減するために封函状態で一対の外フラップの先端縁同士が突き合わせ状態となるよう設計される。このため、一般的なＡ式段ボール箱は、組立状態で内側底部の底内フラップの先端縁間に平面視略方形で段ボールシートの厚さ分の深さを有する凹部が形成される。
【０００４】
段ボール箱に収容する品物（商品）によっては、底内フラップ間に凹部が形成されることにより、品物の底部が底内フラップの先端縁で擦れて傷が付き易くなることがある。また、段ボール箱を開封状態で商品陳列用のディスプレイ用のトレイ等として用いる場合、凹部の存在によって商品が傾いたり高さが不揃いになることが好ましくないことがある。さらに、段ボール箱に液体を封入した瓶等を収容する場合、底外フラップの上側に底内フラップが存在しない凹部の緩衝性が低くなり、商品の保護が不確実となるおそれがある。
【０００５】
そこで、別途用意した一枚の板状の段ボールシートからなるパッド（埋め板とも呼ばれる）を段ボール箱の底内フラップ間の凹部に嵌合させることで、段ボール箱の底部の段差をなくすことが行われている（例えば特開２００１−６３７２３号公報参照）。
【０００６】
しかしながら、従来のパッドは、底内フラップと底外フラップとの間に滑り込んでしまうことがある。特に、段ボール箱に品物を入れる前は、底内フラップの先端縁が底外フラップから浮き上がり易く、箱詰作業を慎重に行って、パッドを底内フラップ間に配置した状態を保つ必要がある。また、従来のパッドは、商品を梱包した段ボール箱を輸送する間に位置ずれし、商品の保護機能を十分に果たせない場合もある。
【０００７】
また、上記公報には、段ボール箱の底内フラップ間の凹部にパッドを嵌合させた上に、さらに底内フラップ及びパッドを覆う一枚の敷板を重ねる構成が記載されている。この場合、パッドの状態が敷板に隠れて見えないため、パッドの位置ずれの有無を確認することが難しい。
【先行技術文献】
【特許文献】
【０００８】
【特許文献１】特開２００１−６３７２３号公報
【考案の概要】
【考案が解決しようとする課題】
【０００９】
上記不都合に鑑みて、本考案は、位置ずれし難いパッド及び品物を確実に保護できる包装資材セットを提供することを課題とする。
【課題を解決するための手段】
【００１０】
上記課題を解決するためになされた考案は、一枚の段ボールシートから形成され、段ボール箱の一対の底内フラップ間に形成される平面視略方形の凹部を埋めるために使用されるパッドであって、上記底内フラップ間の凹部に嵌まり込む略方形の嵌合部と、この嵌合部に折り曲げ線を介して連設され、上記嵌合部の凹部からの位置ずれを防止する固定部とを備え、上記固定部が、上記折り曲げ線に沿う方向の両側に嵌合部よりも突出することを特徴とする。
【００１１】
当該パッドは、底内フラップ間の凹部に嵌まり込む略方形の嵌合部と、この嵌合部に連設され、上記折り曲げ線に沿う方向の両側に嵌合部よりも突出する固定部とを備えるので、上記固定部が底内フラップの上面に載置され、嵌合部が底内フラップの下側に滑り込むことを防止する。このため、当該パッドは、位置ずれし難く、段ボール箱に収容される品物をより確実に保護できる。
【００１２】
一対の上記固定部が、嵌合部の互いに対向する一対の側縁から延出するとよい。このように、一対の上記固定部が、嵌合部の互いに対向する一対の側縁から延出することによって、一対の固定部が底内フラップ先端縁に沿う方向の両側で嵌合部の位置ずれを防止するので、当該パッドはより位置ずれし難い。
【００１３】
上記固定部の嵌合部と反対側の端縁両端部が面取りされているとよい。このように、上記固定部の嵌合部と反対側の端縁両端部が面取りされていることによって、固定部が段ボール箱に収容される品物をより傷つけ難くなる。
【００１４】
上記固定部の折り曲げ線に垂直な方向の幅が嵌合部と略等しいとよい。このように、上記固定部の折り曲げ線に垂直な方向の幅が嵌合部と略等しいことによって、固定部が嵌合部及び底内フラップの上面に密着するよう折り返されることにより、段ボール箱の底を三重構造にする敷板の役目を果たすことができる。これにより、段ボール箱に収容される商品をさらに確実に保護できる。
【００１５】
また、上記課題を解決するためになされた別の考案は、当該パッドと、組立状態で底内フラップ間に上記パッドの嵌合部が挿入される平面視略方形の凹部を有する段ボール箱を形成する箱用シートとを備える包装資材セットである。
【００１６】
当該包装資材セットを組み立ててなる段ボール箱は、当該パッドが位置ずれし難いので、段ボール箱に収容される品物を比較的確実に保護できる。
【考案の効果】
【００１７】
上述のように、本考案のパッドは、位置ずれし難く、本考案の包装資材セットは、品物を比較的確実に保護できる。
【図面の簡単な説明】
【００１８】
【図１】本考案の一実施形態の包装資材セットを示す模式的平面図（展開図）である。
【図２】図１の包装資材セットの箱用シートを組み立ててなる箱体を示す模式的断面図である。
【図３】図１の包装資材セットの組立状態を示す模式的部分断面斜視図である。
【図４】本考案の図１とは異なる実施形態の包装資材セットを示す模式的平面図（展開図）である。
【図５】図４の包装資材セットの組立状態を示す模式的部分断面斜視図である。
【考案を実施するための形態】
【００１９】
以下、適宜図面を参照しつつ、本考案の実施の形態を詳説する。
【００２０】
［第一実施形態］
図１に示す本考案の第一実施形態の包装資材セットは、段ボール箱を形成する箱用シート１と、段ボール箱の底部内側の段差を埋めるために用いられ、それ自体が本考案の別の実施形態であるパッド２とを備える。なお、図において、太線はシートを切断したエッジを示し、細線はシートの内面に型押しして形成した罫線を示す。
【００２１】
＜箱用シート＞
箱用シート１は、一枚の段ボールシートから形成され、いわゆるミカン箱タイプのＡ式段ボール箱を形成する箱用シートである。
【００２２】
具体的には、箱用シート１は、左右方向に順に連設される第１長さ面パネル１１、第１幅面パネル１２、第２長さ面パネル１３及び第２幅面パネル１４と、第１長さ面パネル１１の第１幅面パネル１２と反対側に連設され、第２幅面パネル１４の第２長さ面パネル１３と反対側の端部内面に貼着される継しろ１５とを備える。
【００２３】
また、箱用シート１は、第１長さ面パネル１１の下縁から延設される第１底外フラップ１６と、第１幅面パネル１２の下縁から延設される第１底内フラップ１７と、第２長さ面パネル１３の下縁から延設され、第１底外フラップ１６と対をなす第２底外フラップ１８と、第２幅面パネル１４の下縁から延設され、第１底内フラップ１７と対をなす第２底内フラップ１９とを備える。
【００２４】
さらに、箱用シート１は、第１長さ面パネル１１の上縁から延設される第１蓋外フラップ２０と、第１幅面パネル１２の上縁から延設される第１蓋内フラップ２１と、第２長さ面パネル１３の上縁から延設され、第１蓋外フラップ２０と対をなす第２蓋外フラップ２２と、第２幅面パネル１４の上縁から延設され、第１蓋内フラップ２１と対をなす第２蓋内フラップ２３とを備える。
【００２５】
箱用シート１を形成する段ボールシートとしては、一枚の中芯の両側を一対のライナーで挟み込んだものだけでなく、３枚のライナーの間にそれぞれ中芯が挟み込まれたいわゆるダブルフルートであってもよく、中芯の片側にのみライナーが貼着されたいわゆる片面段ボールであってもよい。
【００２６】
箱用シート１は、通常、第１の長さ面パネル１１を第１の幅面パネル１２の内面に密着させるよう折り返してから、第２の幅面パネル１４を第２の長さ面パネル１１の内面に密着させるよう折り返すと共に、第２の幅面パネル１４の内側面に継しろ１５を接着することによって、第１長さ面パネル１１、第１幅面パネル１２、第２長さ面パネル１３及び第２幅面パネル１４を無端状に接続した折り畳み状態でユーザーに提供される。
【００２７】
箱用シート１を段ボール箱に組み立てる場合、先ず、第１長さ面パネル１１、第１幅面パネル１２、第２長さ面パネル１３及び第２幅面パネル１４をそれぞれの間を略直角に折り曲げた四角筒状に配置して周壁を形成する。続いて、この周壁の下側の開口を、底内フラップ１７，１９を内側に折り曲げてから、底内フラップ１７，１９の外側（下側）に底外フラップ１６，１８を互いの延出側先端縁を突き合わせるよう折り重ねることによって封止することで有底の四角筒状の段ボール箱に組み立てられる。また、同様に、内側に折り曲げた蓋内フラップ２１，２３の外側（上側）に蓋外フラップ２０，２２を折り重ねることによって周壁の上側の開口が封止される。
【００２８】
箱用シート１を組み立ててなる段ボール箱は、図２に示すように、組立状態において、底部内面に、底内フラップ１７，１９間に底外フラップ１６，１８が露出する平面視略方形の凹部２４が形成される。
【００２９】
箱用シート１を組み立ててなる段ボール箱は、例えば底外フラップ１６，１８及び蓋外フラップ２０，２２のそれぞれ突き合わされる先端縁を覆うよう粘着テープを貼着することによって封函することができる。
【００３０】
＜パッド＞
当該パッド２は、一枚の段ボールシートから形成され、図３に示すように、上記箱用シート１を組み立ててなる段ボール箱の一対の底内フラップ１７，１９の間の凹部２４を埋めて段ボール箱の底部内側の段差をなくすために使用される。
【００３１】
当該パッド２は、上記底内フラップ１７，１９間の凹部２４に嵌まり込む略方形の嵌合部３１と、この嵌合部３１の底内フラップ１７，１９に対向しない一対の側縁から延出するよう、折り曲げ線３２を介して連設され、かつ折り曲げ線３２に沿う方向の両側に嵌合部３１よりも突出し、箱用シート１を組み立ててなる段ボール箱の嵌合部３１の上記凹部２４からの位置ずれを防止する一対の固定部３３とを備える。
【００３２】
当該パッド２を形成する段ボールシートとしては、箱用シート１を形成する段ボールシートと同様とすることができ、嵌合部３１の厚さや弾性が底内フラップ１７，１９と等しくなるよう、箱用シート１と同一規格の段ボールシートを用いることが好ましい。
【００３３】
（嵌合部）
嵌合部３１の折り曲げ線３２に垂直な方向の長さは、箱用シート１の幅面パネル１２，１４の左右方向の長さ、つまり凹部２４の幅面方向長さと略等しく、凹部２４の幅面方向長さよりも僅かに小さいことが好ましい。一方、嵌合部３１の折り曲げ線３２に沿う方向の長さは、箱用シート１の長さ面パネル１１，１３の左右方向の長さから一対の底内フラップ１７，１９の上下方向の延出長さの和を差し引いた長さ、つまり凹部２４の長さ面方向長さに略等しく、凹部２４の長さ面方向長さよりも僅かに大きいことが好ましい。
【００３４】
幅面パネル１２，１４の左右方向の平均長さ（凹部２４の平均幅面方向長さ）から嵌合部３１の折り曲げ線３２に垂直な方向の長さを差し引いた値（幅面方向マージン）の下限としては、当該パッド２を形成する段ボールシートの厚さの１倍が好ましく、２倍がより好ましい。一方、上記幅面方向マージンの上限としては、当該パッド２を形成する段ボールシートの厚さの５倍が好ましく、４倍がより好ましい。上記幅面方向マージンが上記下限に満たない場合、当該パッド２の固定部３３と箱用シート１を組み立ててなる段ボール箱の長さ面パネル１１，１３との隙間が不必要に大きくなるおそれがある。逆に、上記幅面方向マージンが上記上限を超える場合、箱用シート１を組み立ててなる段ボール箱の底内フラップ１７，１９間の凹部２４に嵌合部３１を嵌め込むことが困難となるおそれがある。
【００３５】
嵌合部３１の折り曲げ線３２に沿う方向の平均長さから長さ面パネル１１，１３の左右方向の長さを減じて一対の底内フラップ１７，１９の上下方向の延出長さの和を加えた値（長さ面方向マージン）の下限としては、当該パッド２を形成する段ボールシートの厚さの−１倍が好ましく、０倍がより好ましい。一方、上記長さ面方向マージンの上限としては、当該パッド２を形成する段ボールシートの厚さの２倍が好ましく、１倍がより好ましい。上記長さ面方向マージンが上記下限に満たない場合、箱用シート１を組み立ててなる段ボール箱の底の内面を十分に平坦にすることができないおそれがある。逆に、上記長さ面方向マージンが上記上限を超える場合、箱用シート１を組み立ててなる段ボール箱の底内フラップ１７，１９間の凹部２４に嵌合部３１を嵌め込むことが困難となるおそれがある。
【００３６】
（折り曲げ線）
当該パッド２において、各折り曲げ線３２は、ミシン目状に並んだ複数の切断線３４と、切断線３４間を接続するよう段ボールシートの一方の面に型押しして形成される複数の罫線３５とによって構成されている。折り曲げ線３２は、嵌合部３１と固定部３３との境界を定め、この境界に沿って正確に段ボールシートを折り曲げ可能にする。
【００３７】
（固定部）
一対の固定部３３は、箱用シート１を組み立ててなる段ボール箱の一対の長さ面パネル１１，１３の内面に沿うよう配置される。
【００３８】
当該パッド２は、嵌合部３１の互いに対向する一対の側縁の両側に、嵌合部３１より左右方向両側に突出する固定部３３をそれぞれ有するので、箱用シート１を組み立ててなる段ボール箱の底内フラップ１７，１９の上面の両側部上に配置され、嵌合部３１が底内フラップ１７，１９の下側に滑り込むことを比較的確実に防止できる。
【００３９】
固定部３３は、左右方向に長い概略帯状に形成することができる。さらに、固定部３３は、箱用シート１を組み立ててなる段ボール箱に収容される品物を傷つけ難いよう、嵌合部３１と反対側の端縁の両端部（延出側先端縁と左右の両側縁との角）が面取りされていることが好ましい。また、固定部３３は、嵌合部３１より左右方向に突出する部分の下縁（嵌合部３１側の側縁）が、折り曲げ線３２から延出方向にオフセットされていることが好ましい。
【００４０】
固定部３３の面取り部を除く部分の折り曲げ線からの平均延出長さの下限としては、１５ｍｍが好ましく、２０ｍｍがより好ましい。一方、固定部３３の折り曲げ線からの平均延出長さの上限としては、３０ｍｍが好ましく、２５ｍｍがより好ましい。固定部３３の折り曲げ線からの平均延出長さが上記下限に満たない場合、固定部３３の強度が不十分となるおそれがある。逆に、固定部３３の折り曲げ線からの平均延出長さが上記上限を超える場合、箱用シート１を組み立ててなる段ボール箱に収容される品物と干渉し易くなるおそれがある。
【００４１】
固定部３３の嵌合部３１からの最大突出量の下限としては、１０ｍｍが好ましく、１５ｍｍがより好ましい。一方、固定部３３の嵌合部３１からの最大突出量の上限としては、３０ｍｍが好ましく、２５ｍｍがより好ましい。固定部３３の嵌合部３１からの最大突出量が上記下限に満たない場合、固定部３３が底内フラップ１７，１９と長さ面パネル１１，１３との隙間に入り込んで嵌合部３１が凹部２４から位置ずれするおそれがある。逆に、固定部３３の嵌合部３１からの最大突出量が上記上限を超える場合、箱用シート１を組み立ててなる段ボール箱に収容される品物と干渉し易くなるおそれがある。
【００４２】
上記面取りの半径の下限としては、特に限定されないが、１０ｍｍが好ましく、１５ｍｍがより好ましい。一方、上記面取りの半径の上限としては、３０ｍｍが好ましく、２５ｍｍがより好ましい。上記面取りの半径が上記下限に満たない場合、箱用シート１を組み立ててなる段ボール箱に収容される品物の傷つきを十分に抑制できないおそれがある。逆に、上記面取りの半径が上記上限を超える場合、固定部３３が不必要に大きくなるおそれや、固定部３３の強度を低下させるおそれがある。
【００４３】
固定部３３の突出部の下縁のオフセット量の下限としては、箱用シート１を形成する段ボールシートの厚さの０．８倍が好ましく、１倍がより好ましい。固定部３３の突出部の下縁のオフセット量の上限としては、箱用シート１を形成する段ボールシートの厚さの２倍が好ましく、１．５倍がより好ましい。固定部３３の突出部の下縁のオフセット量が上記下限に満たない場合、嵌合部３１が底内フラップ１７，１９から浮き上がって段差を形成するおそれがある。逆に、固定部３３の突出部の下縁のオフセット量が上記上限を超える場合、固定部３３の強度が不必要に低下するおそれがある。
【００４４】
＜利点＞
当該包装資材セットのパッド２は、その固定部３３の両側の突出部が底内フラップ１７，１９の側縁近傍領域の上側に配置されることにより、嵌合部３１が底外フラップ１６，１８と底内フラップ１７，１９との隙間に滑り込むことを防止することができる。
【００４５】
また、当該包装資材セットのパッド２は、一対の固定部３３が嵌合部３１の底内フラップ１７，１９に対向しない一対の側縁からそれぞれ延出しているので、底内フラップ１７，１９の両側縁近傍領域の上側にそれぞれ配置される。つまり、一対の固定部３３は、略方形の嵌合部３１の四隅をそれぞれ底内フラップ１７，１９の下側に滑り込まないよう係止するので、嵌合部３１の位置ずれがより確実に防止される。
【００４６】
これにより、当該包装資材セットは、品物の傷つきやがたつきを防止し、整然と配列して収容することができる。
【００４７】
［第二実施形態］
図４に示す本考案の第二実施形態の包装資材セットは、段ボール箱を形成する一対の箱用シート３と、段ボール箱の底部内側の段差を埋めるために用いられ、それ自体が本考案の別の実施形態であるパッド４とを備える。
【００４８】
＜箱用シート＞
箱用シート３は、それぞれ一枚の段ボールシートから形成され、二枚一組で１つの段ボール箱を形成するよう構成されている。つまり、箱用シート３は、長さ面パネル４１と、長さ面パネル４１の左右方向一端側に連設される幅面パネル４２と、長さ面パネル４１の左右方向他端側に連設される継しろ４３と、長さ面パネル４１の下縁から延出する底外フラップ４４と、幅面パネル４２の下縁から延出する底内フラップ４５と、長さ面パネル４１の上縁から延出する蓋外フラップ４６と、幅面パネル４２の上縁から延出する蓋内フラップ４７とを備える。
【００４９】
このような二枚の箱用シート３を用い、一方の箱用シート３の継しろ４３を他方の箱用シート３の幅面パネル４２の長さ面パネル４１と反対側の端部内面に貼着することで、第１実施形態の箱用シート１と同様に、一対の底内フラップ４５の間に凹部４８（図５参照）を有する段ボール箱を形成することができる。
【００５０】
図４の箱用シート３を形成する段ボールシートとしては、図１の箱用シート１を形成する段ボールシートと同様とすることができる。
【００５１】
＜パッド＞
当該パッド４は、一枚の段ボールシートから形成され、上記箱用シート３を組み立ててなる段ボール箱の一対の底内フラップ４５の間の凹部４８を埋めて段ボール箱の底部内側の段差をなくすと共に、段ボール箱の底を三層構造として緩衝性を向上するために使用される。
【００５２】
当該パッド４は、上記底内フラップ４５間の凹部４８に嵌まり込む略方形の嵌合部５１と、この嵌合部５１の底内フラップ４５に対向しない一対の側縁から延出するよう、折り曲げ線５２を介して連設され、かつ折り曲げ線５２に沿う方向の両側に嵌合部５１よりも突出し、箱用シート３を組み立ててなる段ボール箱の嵌合部５１の上記凹部４８からの位置ずれを防止する一対の固定部５３とを備える。
【００５３】
当該パッド４を形成する段ボールシートとしては、箱用シート３を形成する段ボールシートと同様とすることができ、嵌合部５１の厚さや弾性が底内フラップ４５と等しくなるよう、箱用シート３と同一規格の段ボールシートを用いることが好ましい。
【００５４】
（嵌合部）
図４のパッド４の嵌合部５１の形状及び箱用シート３との関係は、図１のパッド２の嵌合部３１の形状及び箱用シート１との関係と同様である。
【００５５】
（折り曲げ線）
当該パッド４において、折り曲げ線５２は、嵌合部５１と固定部５３との境界上に間隔を空けて形成され、嵌合部５１と固定部５３とを切り離す複数の主切断線５４と、主切断線の端部に垂直に形成される端部切断線５５と、主切断線５４の間で端部切断線５５の両端をそれぞれ接続するよう形成される二重罫線（互いに平行な一対の罫線）５６とを有する。
【００５６】
主切断線５４は、折り曲げ線５２の長さが十分に長いため、その一部を切断しても嵌合部５１と固定部５３とが誤って切り離される可能性が十分に小さい場合に形成され、折り曲げ線５２に沿って段ボールシートを折り曲げることを容易にする。
【００５７】
端部切断線５５は、主切断線５４が意図せず延伸することを防止すると共に、二重罫線５６に沿う段ボールシートの折り曲げにより二重罫線５６の延長線上の段ボールシートが折り曲げられることを防止する。
【００５８】
二重罫線５６は、段ボールシートを二回に分けて９０°ずつ折り曲げることで、嵌合部５１の上面に固定部５３が密着するよう折り返すことを容易にする。この二重罫線５６を構成する一対の罫線の平均間隔の下限としては、当該パッド４を形成する段ボールシートの厚さの１倍が好ましく、１．５倍がより好ましい。一方、二重罫線５６を構成する一対の罫線の平均間隔の上限としては、当該パッド４を形成する段ボールシートの厚さの２．５倍が好ましく、２倍がより好ましい。二重罫線５６を構成する一対の罫線の平均間隔が上記下限に満たない場合、段ボールシートの折り曲げを十分に促進できないおそれがある。逆に、二重罫線５６を構成する一対の罫線の平均間隔が上記上限を超える場合、嵌合部５１と固定部５３との間に不必要な空間が形成され、固定部５３が傾いたり、応力集中により局所的に押し潰されて強度や緩衝性が低下するおそれがある。
【００５９】
（固定部）
一対の固定部５３は、箱用シート３を組み立ててなる段ボール箱の一対の底内フラップ４５及び当該パッド４の嵌合部５１の上面を覆うよう配置される。
【００６０】
従って、この固定部５３は、略方形に形成される。固定部５３の折り曲げ線５２に沿う方向の長さは、箱用シート３の長さ面パネル４１と略等しく、僅かに小さいことが好ましい。固定部５３の折り曲げ線５２に垂直な方向の長さは、箱用シート３の幅面パネル４２と略等しく、僅かに小さいことが好ましく、かつ嵌合部５１の折り曲げ線５２に垂直な方向の長さと略等しいことが好ましい。
【００６１】
固定部５３の折り曲げ線５２に沿う方向の長さと箱用シート３の長さ面パネル４１と差、及び固定部５３の折り曲げ線５２に垂直な方向の長さと箱用シート３の幅面パネル４２の長さとの差の下限としては、当該パッドを形成する段ボールシートの厚さの０．５倍が好ましく、１倍がより好ましい。一方、上記固定部５３と長さ面パネル４１及び幅面パネル４２との寸法差の上限としては、当該パッドを形成する段ボールシートの厚さの２．５倍が好ましく、２倍がより好ましい。上記固定部５３と長さ面パネル４１及び幅面パネル４２との寸法差が上記下限に満たない場合、固定部５３の寸法が箱用シート３を組み立ててなる段ボール箱の内寸よりも大きくなり、当該パッド４を底に配置することが困難となるおそれがある。逆に、上記固定部５３と長さ面パネル４１及び幅面パネル４２との寸法差が上記上限を超える場合、固定部５３の周縁と長さ面パネル４１及び幅面パネル４２との間に不必要に隙間が形成されるおそれがある。
【００６２】
＜利点＞
当該包装資材セットのパッド４は、その固定部５３の両側の突出部が底内フラップ４５の上側全面に配置されることにより、嵌合部５１が底外フラップ４４と底内フラップ４５との隙間に滑り込むことを防止することができる。
【００６３】
これにより、当該包装資材セットは、固定部５３の下側に不必要な空間を形成せず、固定部５３により形成される底部の内面を平坦に保つことができるので、品物の傷つきやがたつきを防止し、整然と配列して収容することができる。
【００６４】
特に、当該包装資材セットを組み立ててなる箱体は、底部が、一対の底外フラップ４４から形成される最下層と、一対の底内フラップ４５及び嵌合部５１から形成される中間層と、固定部５３から形成される最上層とを備える三層構造となるので、収容する品物の底に伝わる衝撃をより確実に吸収することができる。
【００６５】
［その他の実施形態］
上記実施形態は、本考案の構成を限定するものではない。従って、上記実施形態は、本明細書の記載及び技術常識に基づいて上記実施形態各部の構成要素の省略、置換又は追加が可能であり、それらは全て本考案の範囲に属するものと解釈されるべきである。
【００６６】
当該パッドは、底内フラップに対向しない側縁の少なくとも一方、つまり折り曲げ線に沿う方向の少なくとも一方側に固定部を備えていればよい。従って、上述の第一実施形態において、一方の固定部を省略してもよい。
【００６７】
当該パッドの固定部は、商品が嵌合するようなスリットや開口を有してもよい。
【産業上の利用可能性】
【００６８】
本考案のパッド及び包装資材セットは、多様な品物を収容する段ボール箱に広く利用することができる。
【符号の説明】
【００６９】
１，３  箱用シート
２，４  パッド
１１，１３，４１  長さ面パネル
１２，１４，４２  幅面パネル
１６，１８，４４  底外フラップ
１７，１９，４５  底内フラップ
２０，２２，４６  蓋外フラップ
２１，２３，４７  蓋内フラップ
２４，４８  凹部
３１，５１  嵌合部
３２，５２  折り曲げ線
３３，５３  固定部
３４  切断線
３５  罫線
５４  主切断線
５５  端部切断線
５６  二重罫線
【図１】
0003202098.tif 000003
【図２】
0003202098.tif 000004
【図３】
0003202098.tif 000005
【図４】
0003202098.tif 000006
【図５】
0003202098.tif 000007
【手続補正書】
【提出日】平成27年11月9日(2015.11.9)
【手続補正１】
【補正対象書類名】実用新案登録請求の範囲
【補正対象項目名】請求項４
【補正方法】変更
【補正の内容】
【請求項４】
上記固定部の折り曲げ線に垂直な方向の幅が嵌合部の折り曲げ線に垂直な方向の幅と略等しい請求項１、請求項２又は請求項３に記載のパット。